(57)【特許請求の範囲】
【請求項１】
筐体を具える液晶表示パネル用包装箱であって、該筐体の少なくとも隣り合う両側壁に、それぞれ若干の凹溝を形成するとともに、該包装箱には弾性緩衝部材と硬質部材とを配置し、該弾性緩衝部材は該凹溝内に設け、該弾性緩衝部材は第１端と第２端とを具え、該第１端が被包装物である液晶表示パネルに緊密に接触し、かつ該第２端と該凹溝の内壁との間に隙間が存在し、該硬質部材が該弾性緩衝部材を押圧して、該緩衝部材と該液晶表示パネルとの間に隙間がなくなるように緊密に接触させるように構成し、
さらに、前記硬質部材がＴ字状構造に形成される
ことを特徴とする液晶表示パネル用包装箱。
【請求項２】
請求項１に記載の液晶表示パネル用包装箱において、
前記弾性緩衝部材が直方体形状を呈する
ことを特徴とする液晶表示パネル用包装箱。
【請求項３】
請求項１に記載の液晶表示パネル用包装箱において、
前記Ｔ字状構造の硬質部材は、該隙間に挿設した後、該Ｔ字状構造の硬質部材の上端部が該弾性緩衝部材より高くなるようにする
ことを特徴とする液晶表示パネル用包装箱。
【請求項４】
請求項１に記載の液晶表示パネル用包装箱において、
前記硬質部材が、板金、もしくはプラスチック材によってなる
ことを特徴とする液晶表示パネル用包装箱。
【請求項５】
請求項３に記載の液晶表示パネル用包装箱において、
前記硬質部材が、板金、もしくはプラスチック材によってなる
ことを特徴とする液晶表示パネル用包装箱。
【請求項６】
請求項１に記載の液晶表示パネル用包装箱において、
前記液晶表示パネル上にプレート状緩衝材を積置する
ことを特徴とする液晶表示パネル用包装箱。
【請求項７】
液晶表示パネル用包装箱であって、被包装物である液晶表示パネルがガラス基板と、回路基板と、及び該ガラス基板と該回路基板とに接続する複数のフレキシブルプリント基板とを含んでなり、かつ複数の該フレキシブルプリント基板の間には切り欠き部を具え、
該液晶表示パネル用包装箱が筐体を具え、該筐体の少なくとも隣り合う両側壁に、それぞれ若干の凹溝を形成するとともに、該包装箱には弾性緩衝部材と硬質部材とを配置し、該弾性緩衝部材は該凹溝内に設け、該弾性緩衝部材は第１端と第２端とを具え、該第１端が被包装物である液晶表示パネルに緊密に接触し、かつ該第２端と該凹溝の内壁との間に隙間が存在し、該硬質部材が該弾性緩衝部材を押圧して、該緩衝部材と該液晶表示パネルとの間に隙間がなくなるように緊密に接触させ、
該筐体の他の２つの側壁に、若干の係合溝を形成して係合部材を用意し、かつ該係合部材が第１アームと第２アームと、及び該第１アームと該第２アームとを連結する連結部とを含み、該第１アームを該係合溝に挿入し、該第２アームを該切り欠き部に挿入する
ことを特徴とする液晶表示パネル用包装箱。
【請求項８】
請求項７に記載の液晶表示パネル用包装箱において、
前記弾性緩衝部材が直方体形状を呈する
ことを特徴とする液晶表示パネル用包装箱。
【請求項９】
請求項７に記載の液晶表示パネル用包装箱において、
前記硬質部材がＴ字状構造に形成される
ことを特徴とする液晶表示パネル用包装箱。
【請求項１０】
請求項９に記載の液晶表示パネル用包装箱において、
前記Ｔ字状構造の硬質部材は、該隙間に挿設した後、該Ｔ字状構造の硬質部材の上端部が該弾性緩衝部材より高くなるようにする
ことを特徴とする液晶表示パネル用包装箱。
【請求項１１】
請求項７に記載の液晶表示パネル用包装箱において、
前記硬質部材が、板金、もしくはプラスチック材によってなる
ことを特徴とする液晶表示パネル用包装箱。
【請求項１２】
請求項１０に記載の液晶表示パネル用包装箱において、
前記硬質部材が、板金、もしくはプラスチック材によってなる
ことを特徴とする液晶表示パネル用包装箱。
【請求項１３】
請求項７に記載の液晶表示パネル用包装箱において、
前記第２アーム上に、該液晶表示パネルに接触する緩衝部材を設ける
ことを特徴とする液晶表示パネル用包装箱。
【請求項１４】
請求項７に記載の液晶表示パネル用包装箱において、
前記係合部材が、板金、もしくはプラスチック材によってなる
ことを特徴とする液晶表示パネル用包装箱。
【請求項１５】
請求項７に記載の液晶表示パネル用包装箱において、
前記液晶表示パネル上に、該係合部材の該第２アームが通過する貫通孔を穿設したプレート状緩衝材を積置する
ことを特徴とする液晶表示パネル用包装箱。
【発明の詳細な説明】
【技術分野】
【０００１】
この発明は、物品の包装技術に関し、特に液晶表示パネル用包装箱に関する。
【背景技術】
【０００２】
液晶表示装置の生産領域において、液晶表示装置の生産は、アッセンブリー工程を含み、液晶表示パネル、メインコントロール回路、ハウジングなどの部品を組み立てる。それぞれの部品は先にパッケージして保管し、後続のアッセンブリー工程で液晶表示装置全体を組み立てる。液晶表示パネルは生産が完成した後、液晶表示パネル用の包装箱に保管し、次いで箱ごと組立部門に送る。目下、業界における液晶表示パネルの包装には多数の種類の方式が用いられている。その内、最もよく用いられる方法は、発泡材を応用し、金型で成形した緩衝材によるトレーを液晶表示パネルに用いるか、射出成型／ブロー成型によってなる硬質の包装箱を用いる。相対的に言えば、発泡材によるトレーは軽く、好ましい緩衝の効果が得られるなどの長所を有するが、液晶表示パネルが直接外箱に接触する。射出成型／ブロー成型によってなる硬質の包装箱は、剛性強度が発泡材の箱より優れるが、但し基本的な緩衝性能がないため、箱内に軟質のパッドを設けて緩衝効果を与えなければならない。
【０００３】
上述する従来の包装箱を使用する場合は、液晶表示パネルを筐体に入れる。筐体と液晶表示パネルの一方の辺との隙間は、２〜８mmでまちまちである。隙間を設けることは包装箱の加工技術の精度による制限を受ける。製造工程における公差が正確であるほど、予め設定する隙間も狭くなる。但し、隙間が０ではあってはならない。２つの物品を組み合わせる方式では、対応する隙間が必ず存在する。筐体内に入れる物品と外箱との間に隙間が存在すれば、包装物が落ちる過程で二次的な衝撃の発生するおそれがあり、筐体内に入れる被包装物に対する破壊力は第１回目の衝撃の数倍になる。筐体の製造公差が大きくなれば、内部に入れる物品に対応して発生する隙間を制御できなくなればなるほど、被包装物に対する保護性能は予測できなくなる。よって、従来の包装方式によって液晶表示パネルを包装した場合、第２次衝撃で液晶表示パネルが損傷する恐れがある。仮に包装した後の状態において、液晶表示パネルと筐体との隙間が０であれば、第２次衝撃を避ける可能性を最大化することができ、最も効率よく液晶表示パネルを保護することができる。
【発明の概要】
【発明が解決しようとする課題】
【０００４】
上述する従来の技術の欠点に鑑み、この発明は被包装物と包装材との間に隙間がなく緊密に接し、運搬の過程において内容物が動いて第２次衝撃が発生することを防ぎ、外部からの衝撃によって受ける被包装物の損壊の程度を低減させることのできる液晶表示パネル用包装箱を提供することを課題とする。
【課題を解決するための手段】
【０００５】
上述する課題を解決するために、この発明お採用する技術プランは次のとおりである。
【０００６】
筐体を具える液晶表示パネル用包装箱であって、該筐体の少なくとも隣り合う両側壁に、それぞれ若干の凹溝を形成するとともに、該包装箱には弾性緩衝部材と硬質部材とを配置し、該弾性緩衝部材は該凹溝内に設け、該弾性緩衝部材は第１端と第２端とを具え、該第１端が被包装物である液晶表示パネルに緊密に接触し、かつ該第２端と該凹溝の内壁との間に隙間が存在し、該硬質部材が該弾性緩衝部材を押圧して、該緩衝部材と該液晶表示パネルとの間に隙間がなくなるように緊密に接触させるように構成する。
【０００７】
前記弾性緩衝部材は長方形構造を呈する。
【０００８】
前記硬質部材はＴ字状構造に形成される
【０００９】
前記Ｔ字状構造の硬質部材は、該隙間に挿設した後、該Ｔ字状構造の硬質部材の上端部が該弾性緩衝部材より高くなるようにする。
【００１０】
前記硬質部材が、板金、もしくはプラスチック材によってなる。
【００１１】
前記液晶表示パネル上にプレート状緩衝材を積置する。
【００１２】
液晶表示パネル用包装箱であって、被包装物である液晶表示パネルがガラス基板と、回路基板と、及び該ガラス基板と該回路基板とに接続する複数のフレキシブルプリント基板とを含んでなり、かつ複数の該フレキシブルプリント基板の間には切り欠き部を具え、
該液晶表示パネル用包装箱が筐体を具え、該筐体の少なくとも隣り合う両側壁に、それぞれ若干の凹溝を形成するとともに、該包装箱には凹溝に適合する弾性緩衝部材と硬質部材とを配置し、該弾性緩衝部材は該凹溝内に設け、該弾性緩衝部材は第１端と第２端とを具え、該第１端が被包装物である液晶表示パネルに緊密に接触し、かつ該第２端と該凹溝の内壁との間に隙間が存在し、該硬質部材が該弾性緩衝部材を押圧して、該緩衝部材と該液晶表示パネルとの間に隙間がなくなるように緊密に接触させ、
該筐体の他の２つの側壁に、若干の係合溝を形成して係合部材を用意し、かつ該係合部材が第１アームと第２アームと、及び該第１アームと該第２アームとを連結する連結部とを含み、該第１アームを該係合溝に挿入し、該第２アームを該切り欠き部に挿入する。
【００１３】
前記第２アーム上に、該液晶表示パネルに接触する緩衝部材を設ける。
【００１４】
前記係合部材は、板金、もしくはプラスチック材によってなる。
【００１５】
前記液晶表示パネル上に、該係合部材の該第２アームが通過する貫通孔を穿設したプレート状緩衝材を積置する。
【発明の効果】
【００１６】
従来の技術に比して、この発明による液晶表示パネル用包装箱は、筐体の側壁に凹溝を形成し、該包装箱には弾性緩衝部材と硬質部材とを配置する。包装する場合は、先ず弾性緩衝部材を側壁の凹溝に挿設し、弾性緩衝部材の第１端を液晶表示パネルの側壁に緊密に当接させる。第２端と凹溝との間には隙間が存在する。次いで硬質部材を隙間の位置から凹溝に挿入する。硬質部材が弾性緩衝部材を押圧することで、弾性緩衝部材と液晶表示パネルとが間に隙間なく緊密に当接し、舗装する内容物と包装材との隙間の内緊密な接触を実現する。よって、被包装物を運搬する過程で包装する内容物が移動して第２次衝撃が発生することを防ぎ、外部からの衝撃が被包装物に与える損壊の程度を低減させることができる。
【図面の簡単な説明】
【００１７】
【図１】実施例１による液晶表示パネル用包装箱の構造を示した説明図である。
【図２】図１におけるＡの部分を拡大した説明図である。
【図３】図１におけるＡの部分の斜視図である。
【図４】実施例１における弾性緩衝部材と硬質部材の構造を示した説明図である。
【図５】実施例２における液晶表示パネルの構造を示した説明図である。
【図６】実施例２による液晶表示パネル用包装箱の構造を示した説明図である。
【図７】実施例２における係合部材の構造を示した説明図である。
【図８】実施例２による液晶表示パネル用包装箱にプレート状緩衝材を設けた状態を示した説明図である。
【発明を実施するための形態】
【００１８】
上述するとおり、この発明は従来の技術の欠点を改善するために、一種の液晶表示パネル用包装箱を提供するものであって、筐体を具える液晶表示パネル用包装箱であって、該筐体の少なくとも隣り合う両側壁に、それぞれ若干の凹溝を形成するとともに、該包装箱には凹溝に適合する弾性緩衝部材と硬質部材とを配置し、該弾性緩衝部材は該凹溝内に設け、該弾性緩衝部材は第１端と第２端とを具え、該第１端が被包装物である液晶表示パネルに緊密に接触し、かつ該第２端と該凹溝の内壁との間に隙間が存在し、該硬質部材が該弾性緩衝部材を押圧して、該緩衝部材と該液晶表示パネルとの間に隙間がなくなるように緊密に接触させるように構成する、よって、被包装物と包装材とが隙間なき緊密に接し、運搬の過程で被包装物の位置がずれて移動し第二次衝撃が発生することを防ぎ、外部からの衝撃による被包装物への毀損の程度を軽減させることができる。
【００１９】
この発明について、図面を参照にし、実施例を挙げて以下に説明する。
【実施例１】
【００２０】
第１の実施の形態による液晶表示パネル用包装箱は、図１から図４に開示するように、筐体１を具え、筐体の隣り合う両側壁１ａ、１ｂに、それぞれ若干の凹溝１０を形成するとともに、包装箱には凹溝１０に適合する弾性緩衝部材２０と硬質部材３０を配置する。弾性緩衝部材２０は凹溝１０内に設ける。弾性緩衝部材２０は第１端２０ａと第２端２０ｂとを具え、第１端２０ａが液晶表示パネル２に緊密に接触し、第２端２０ｂと凹溝１０の内壁との間に隙間４０が存在する。硬質部材３０は弾性緩衝部材２０を押圧して、緩衝部材２０と液晶表示パネル２との間に隙間がなくなるように緊密に接触させる。
【００２１】
実施例において、弾性緩衝部材２０は長方形構造を呈し、硬質部材３０はＴ字状構造に形成する。Ｔ字状構造の硬質部材３０は隙間４０に挿設した後、Ｔ字状構造の硬質部材３０の上端部が弾性緩衝部材２０より高くなる。よって、取り外しが便利になる。硬質部材３０は、板金、もしくはプラスチック材によってなる。
【００２２】
具体的に述べると、実施の形態による包装箱で液晶表示パネルを包装する過程は次のとおりである。
【００２３】
先ず、被包装物である液晶表示パネル２を包装箱に入れ、かつ液晶表示パネル２の位置をずらして側壁１ａ、１ｂと相対する他の２つの側壁に緊密に当接させる。
【００２４】
次いで、弾性緩衝部材２０を側壁１ａ、１ｂの凹溝１０に挿設し、弾性緩衝部材２０の第１端２０ａを液晶表示パネル２の側壁に緊密に（摩擦させる必要はない）当接させる。この場合、弾性緩衝部材２０の第２端２０ｂと筐体１との間に隙間４０が存在する。
【００２５】
さらに一歩進んで、硬質部材３０を隙間４０の位置から凹溝１０に挿入する。硬質部材３０の幅は隙間４０の幅より広くする。よって、硬質部材３０が弾性緩衝部材２０を押圧し、弾性緩衝部材２０と液晶表示パネル２との間に隙間がなくなるよう緊密に当接させる。硬質部材３０は異なる幅の異なる多種の仕様のものを用意し、取り付ける場合に隙間４０の実際の幅に基づいて適宜な幅の硬質部材３０を選択して取り付けを行う。
【００２６】
最後に、液晶表示パネル２上にプレート状緩衝材を載置して、筐体１の上方向においても緊密な組立を実現する。
【００２７】
以上に基づき、この発明の実施の形態においては、硬質部材３０が弾性緩衝部材を押圧することで、弾性緩衝部材２０と液晶表示パネル２とが間に隙間なく緊密に当接する。即ち、筐体１と、硬質部材３０と、弾性緩衝部材２０と、液晶表示パネル２との間すべてが隙間なく緊密に当接し、舗装する内容物と包装材との隙間の内緊密な接触を実現する。よって、被包装物を運搬する過程で包装する内容物が移動して第２次衝撃が発生することを防ぎ、外部からの衝撃が被包装物に与える損壊の程度を低減させることができる。
【実施例２】
【００２８】
一部の超高解像度の液晶表示パネルについては、例えば図５に開示するように、液晶表示パネル２はガラス基板２１と、回路基板２２と、及びガラス基板２１と回路基板２２とに接続する複数のフレキシブルプリント基板２３とを含む。複数のフレキシブルプリント基板２３との間には切り欠き部２４を具える。フレキシブルプリント基板２３を設ける側では、液晶表示パネル固定が難しく、運搬の過程で衝撃が発生すれば、フレキシブルプリント基板２３は容易に破損する。
【００２９】
上述する情況に鑑み、図６に開示するように、実施例１の基礎の上において、筐体１の側壁１ｂに対向する側壁に若干の係合溝５０を形成し、係合部材６０を用意する（別の一部の実施例においては、側壁１ａ、１ｂに対向する側壁のいずれにも係合溝５０を形成し、同時に係合部材６０を用意してもよい、要するに、液晶表示パネル２のガラス基板２１、回路基板２２、及びフレキシブルプリント基板２３の接続方式に基づいて選択する）。図７に開示するように、係合部材６０は第１アーム６１と第２アーム６２と、及び第１アーム６１と第２アーム６２とを連結する連結部６３とを含む。取り付ける場合は、係合部材６０の第１アーム６１を係合溝５０に挿入し、第２アーム６２を切り欠き部２４に挿入する。係合部材６０は、回路基板２２を横に跨いで液晶表示パネルに対して固定を行う。液晶表示パネル２に対する固定作用については説明したとおりであるが、回路基板２２とフレキシブルプリント基板２３についても保護することができ、衝撃を受けることがなくなる。さらに一歩進んで、この実施例においては、図７に開示するように第２アーム６２上に緩衝部材６４を設けてもよい。緩衝部材６４は、液晶表示パネル２のガラス基板２１に接触する。
【００３０】
係合部材６０は、板金か、又はプラスチック材によって形成してもよい。
【００３１】
具体的に述べると、この実施例の提供する包装箱を用いて液晶表示パネルを包装する過程は次に掲げるとおりである。
【００３２】
まず、被包装物である液晶表示パネル２を包装箱に入れ、液晶表示パネル２の位置をずらして側壁１ａ、１ｂにそれぞれ対向する２枚の側壁に緊密に接触させる。同時に、側壁１ｂに対向する側壁において、係合部材６０の第１アーム６１を係合溝５０に挿入し、第２アーム６２を切り欠き部２４に挿入する。
【００３３】
弾性緩衝部材２０を側壁１ａ、１ｂの凹溝１０に挿入し、弾性緩衝部材２０の第１端２０ａを液晶表示パネル２の側壁に緊密に（摩擦させる必要はない）当接させる。この場合、弾性緩衝部材２０の第２端２０ｂと筐体１との間に隙間４０が存在する。
【００３４】
さらに一歩進んで、硬質部材３０を隙間４０の位置から凹溝１０に挿入する。硬質部材３０の幅は隙間４０の幅より大きくする。このため、硬質部材３０が弾性緩衝部材２０を押圧し、弾性緩衝部材２０をして液晶表示パネル２との間に隙間なく緊密に当接させる。硬質部材３０は異なる幅の異なる多種の仕様のものを用意し、取り付ける場合に隙間４０の実際の幅に基づいて適宜な幅の硬質部材３０を選択して取り付けを行う。
【００３５】
最後に、液晶表示パネル２の上にプレート状緩衝材３を積置する。よって、筐体１の上方向での緊密な組立を実現することができる。この実施例では、図８に開示するように、プレート状緩衝材３に係合部材６０の第２アーム６２が当たらないように貫通孔３１を穿設する。取り付ける場合、係合部材６０の第２アーム６２は貫通孔３１を通過して液晶表示パネル２の切り欠き部２４に挿入される。
【００３６】
特筆すべきは、この説明において、第１、第２などの類の関連述語は一つの実体、又は操作と、他の実施体、又は操作との区別を付けるためのものであって、必ずしもこれら実体、もしくは操作との間に何らかの実際の関係または順序が存在することを要求、または暗示するものではない、当点である。しかも、述語は「包括」、「包含」、又はその他可変的形態の意義を含む非排他的な包含である、このため一系列の要素の過程、方法、物品、又は設備などの要素を含むのみならず、明確に列挙していないその他要素をも包括し、もしくはこの種の過程、方法、物品、又は設備固有の要素を包括する。更に多くの制限が存在しない状況下にあって、「一つの…を服」なる語句の限定する要素は、ここで述べる要素過程、方法、物品、又は設備に存在する別の同等の要素を排除しない。
【００３７】
以上、この発明の具体的な実施例について説明したが、但し、当業者であればこの発明を理解し、この発明の特許請求の範囲内の原理に基づき若干の修正、変更ことは可能であるが、これらはいずれもこの発明の特許請求の範囲に含まれるものとする。
【符号の説明】
【００３８】
１          筐体
１ａ、１ｂ  側壁
１０        凹溝
２          液晶表示パネル
２０        弾性緩衝部材
２０ａ      第１端
２０ｂ      第２端
２１        ガラス基板
２２        回路基板
２３        フレキシブルプリント基板
２４        切り欠き部
３          プレート状緩衝材
３１        貫通孔
３０        硬質部材
４０        隙間
５０        係合溝
６０        係合部材
６１        第１アーム
６２        第２アーム
６３        連結部
６４        緩衝部材
【図１】
0006487036.tif 000002
【図２】
0006487036.tif 000003
【図３】
0006487036.tif 000004
【図４】
0006487036.tif 000005
【図５】
0006487036.tif 000006
【図６】
0006487036.tif 000007
【図７】
0006487036.tif 000008
【図８】
0006487036.tif 000009